(57)【要約】【目的】開口制限素子において、基板の中央部分に所定サイズの透孔を形成し、該透孔の周囲の領域は、所定波長の光を波長選択的に直進透過させるように構成することで、開口制限素子による表面反射を軽減して、レーザ光源の発振の安定性を向上させるとともに、光ピックアップ装置の薄型化を図る。【構成】開口制限素子４Ａａは、中央領域に透孔１２が穿設された扁平な円環状とされ、透光性基板１３Ａ上に波長フィルタ膜１４Ａと位相補償膜１４Ｂを積層してなる。波長フィルタ膜１４Ａは、第２の波長λ２の光が、干渉効果により反射、吸収されるように構成し、位相補償膜１４Ｂは、基板１３Ａの透過光（λ１）と、透孔１２の通過光（λ１）の光路長差が第１の波長λ１の整数倍となるように波長フィルタ膜１４Ａの厚みを補償する。これにより対物レンズ２の開口数を、第１の波長λ１の光に対し０．６、第２の波長λ２の光に対し０．４５とする。【選択図】          図６
2004279981.tif 000002
【特許請求の範囲】
【請求項１】
光ピックアップ用の対物レンズの光源側に配される波長選択性を有する開口制限素子であって、
基板の中央部分に所定サイズの透孔が形成されるとともに、該基板における、該透孔の周囲の領域は、所定波長の光を波長選択的に直進透過させ、かつその余の光の直進透過を阻止するように構成されていることを特徴とする開口制限素子。
【請求項２】
前記基板における、該透孔の周囲の領域は、第１の波長λ１の光を透過させるとともに、第２の波長λ２の光を遮蔽せしめるように構成されていることを特徴とする請求項１記載の開口制限素子。
【請求項３】
前記基板における、該透孔の周囲の領域は、第１の波長λ１の光を直進透過させるとともに、第２の波長λ２の光を側方に回折せしめるように構成されていることを特徴とする請求項１記載の開口制限素子。
【請求項４】
前記基板を透過した前記第１の波長λ１の光の光路長と、前記透孔を通過した該第１の波長λ１の光の光路長との差がｍλ１（ただし、ｍ＝１，２，３…）となることを特徴とする請求項１〜３のうちいずれか１項記載の開口制限素子。
【請求項５】
光ピックアップ用の対物レンズの光源側に配される波長選択性を有する開口制限素子であって、
基板の中央部分に所定サイズの透孔が形成されるとともに、該基板における、該透孔の周囲の領域は、所定波長の光を波長選択的に直進透過させ、かつその余の光の直進透過を阻止するように構成されており、
前記基板における、該透孔の周囲の領域のうち、内側の第１領域は、第１および第２の波長λ１、λ２の光を透過させるとともに、第３の波長λ３の光を遮蔽せしめるように構成し、該透孔の周囲の領域のうち、外側の第２領域は、前記第１の波長λ１の光を透過させるとともに、前記第２および前記第３の波長λ２、λ３の光を遮蔽せしめるように構成されていることを特徴とする開口制限素子。
【請求項６】
光ピックアップ用の対物レンズの光源側に配される波長選択性を有する開口制限素子であって、
基板の中央部分に所定サイズの透孔が形成されるとともに、該基板における、該透孔の周囲の領域は、所定波長の光を波長選択的に直進透過させ、かつその余の光の直進透過を阻止するように構成されており、
前記基板における、該透孔の周囲の領域のうち、内側の第１領域は、第１および第２の波長λ１、λ２の光を透過させるとともに、第３の波長λ３の光を遮蔽せしめるように構成し、該透孔の周囲の領域のうち、外側の第２領域は、前記第１の波長λ１の光を透過させるとともに、前記第２および前記第３の波長λ２、λ３の光のうち一方を回折せしめ、他方を遮蔽せしめるように構成されていることを特徴とする開口制限素子。
【請求項７】
前記基板を透過した前記第１の波長λ１の光の光路長と、前記透孔を通過した該第１の波長λ１の光の光路長との差がｍλ１（ただし、ｍ＝１，２，３…）となり、前記基板を透過した前記第２の波長λ２の光の光路長と、前記透孔を通過した該第２の波長λ２の光の光路長との差がｎλ２（ただし、ｎ＝１，２，３…）となるように構成されていることを特徴とする請求項１、５、６のうちいずれか１項記載の開口制限素子。
【請求項８】
前記基板が、上面と底面が開放された、光軸を回転軸とする中空の円錐台状とされていることを特徴とする請求項１〜７のうちいずれか１項記載の開口制限素子。
【請求項９】
前記基板がプラスチック材料により形成されていることを特徴とする請求項８記載の開口制限素子。
【請求項１０】
前記基板を透過した前記第１の波長λ１の光に対する、該第１の波長λ１の光の０次の回折光の割合が８５％以上であり、該基板を透過した前記第２の波長λ２の光において、０次の回折光の割合よりも、その余の回折光のうちの所定の回折光の割合が多くなるように構成されていることを特徴とする請求項３、４、６〜９のうちいずれか１項記載の開口制限素子。
【請求項１１】
前記基板上に形成された、前記光を回折させる回折格子の光軸方向からみた形状が同心円であることを特徴とする請求項３、４、６〜１０のうちいずれか１項記載の開口制限素子。
【請求項１２】
前記基板上に形成された、前記光を回折させる回折格子の、前記光軸を含む平面上の断面形状が階段状をなすことを特徴とする請求項３、４、６〜１１のうちいずれか１項記載の開口制限素子。
【請求項１３】
前記回折格子による、前記第２の波長λ２または前記第３の波長λ３の光の回折方向が、光が進行するにしたがって前記光軸から離れる方向とされていることを特徴とする請求項１２記載の開口制限素子。
【請求項１４】
請求項１〜１３のうちいずれか１項記載の開口制限素子を有することを特徴とする光ピックアップ装置。
【請求項１５】
前記対物レンズが光源側に凸面部分を有する正レンズであり、該凸面部分が前記開口制限素子の前記透孔内に挿入されるように配置されていることを特徴とする請求項１４記載の光ピックアップ装置。
【発明の詳細な説明】
【０００１】
【発明の属する技術分野】
本発明は、２種以上の光記録媒体に共用し得る光ピックアップ装置において、該光記録媒体の照射光の使用波長および対物レンズの開口数が光記録媒体の種類に応じて互いに異なるものとされているような場合に、各光を対応する開口数のものとし得る開口制限素子およびこれを用いた光ピックアップ装置に関するものである。
【０００２】
【従来の技術】
近年、種々の光記録媒体が開発されており、そのような複数種の光記録媒体の記録、再生に共用し得る光ピックアップ装置が知られている。例えば、ＤＶＤ（ディジタル・バーサタイル・ディスク）とＣＤ−Ｒ（追記型コンパクトディスク）を１つの光ピックアップ装置を用いて記録、再生する装置が知られている。
【０００３】
大容量のＤＶＤを再生する際には、狭幅のトラックピッチに対応して、ディスク面上の集光スポットの径を小さくする必要がある。集光スポットの径は対物レンズの開口数に反比例し、光の波長に比例するため、対物レンズの開口数を０．６程度と大きくし、使用光の波長は６５０ｎｍ程度と短くする必要がある。
【０００４】
一方、ＣＤ−Ｒについては、ＤＶＤと比較してディスクの容量が小さく、対物レンズの開口数は０．４５〜０．５程度が望まれている。また、ＣＤ−Ｒは、波長７８０ｎｍ付近の入射光に対してのみ高い反射率が得られるように設計されていることから、使用光の波長は７８０ｎｍ程度とする必要がある。
【０００５】
このように、ＤＶＤとＣＤ−Ｒという複数種類の光記録媒体は、それぞれを記録再生する際における、最適な使用波長と対物レンズの開口数が互いに異なるため、これら両者に対して共用し得る光ピックアップ装置では、２つの異なる波長の光を照射光として用いる、いわゆる２波長ビーム方式を採用するとともに、再生する光記録媒体に応じて対物レンズの開口数を変化させるように構成することが一般的である。
【０００６】
このように異なる開口数の光記録媒体に対して、互いに異なる波長の光を照射光とする場合に用いられる開口制限部材としては、例えば、対物レンズの光源側に機械的な可変絞りや液晶シャッタを配したものが従来より知られている（特許文献１）が、このような部材は、装置の構成を複雑化し、装置の大型化を招来する。
【０００７】
そこで、近年、透明な基板上に波長フィルタ膜および位相補償膜を積層した、波長選択性を有する開口制限素子が注目されている（特許文献２）。
【０００８】
このような開口制限素子は、図２０に示すように、対物レンズ１０２の光源側に配され、入射光束の波長に応じてこの対物レンズ１０２の開口数を調整するものである。すなわち、この光ピックアップ装置では、半導体レーザ光源（図示せず）から出力されコリメータレンズ（図示せず）により平行光束とされたレーザ光が反射プリズム１０５により反射され、開口制限素子１０４および絞り１０３を介して対物レンズ１０２に入射し、この対物レンズ１０２により集束光とされて光ディスク１０６の記録領域上（透明な保護板１０１の背面に略一致する）に照射される。
【０００９】
開口制限素子１０４は、透明平板の中央円形領域の外側に波長フィルタ膜を設けてなり、波長フィルタ膜は、波長６３５ｎｍ（現在は波長６５０ｎｍが主流；以下同じ）の光をほぼ透過させ、波長７８０ｎｍの光をほぼ反射させるように機能する。なお、波長フィルタ膜には位相補償膜が積層され、波長６３５ｎｍに対し、波長フィルタ膜および位相補償膜を通過する光と空気中を通る光の位相差をｍλ（ｍは整数）に調整する働きをする。すなわち、開口制限素子１０４は、中央円形の外側の領域では、波長６３５ｎｍの光を透過させ、波長７８０ｎｍの光を反射（または吸収）させ、一方、中央円形領域内では、波長６３５ｎｍおよび７８０ｎｍの両光を透過させる。
【００１０】
これにより、波長６３５ｎｍの光を、開口数０．６に対応した光束径とし、一方、波長７８０ｎｍの光を、開口数０．４５に対応した光束径とすることができる。
なお、特許文献２には、上記波長フィルタ膜等に替えて回折フィルタ膜を設け上記と同様の機能を有する開口制限素子も開示されている。
【００１１】
【特許文献１】特開平９−１９８７００号公報
【特許文献２】特開平９−５４９７７号公報
【００１２】
【発明が解決しようとする課題】
しかしながら、上記特許文献２記載のものでは、対物レンズの光源側に板状の開口制限素子を配設したため、該素子表裏各面からの反射光が光源側に戻り、レーザ光の発振を不安定にするおそれがある。
【００１３】
このような開口制限素子の表面に反射防止膜をコーティングして、反射光を軽減する手法もあるが、このような手法では実用上十分とはいえない。
【００１４】
なお、このような問題は上述したＤＶＤ／ＣＤ−Ｒ共用のものに限られるものではなく、互いに使用波長や開口数が異なる複数の光ディスクを記録再生するための光ピックアップ装置全般において生じる問題である。
【００１５】
本発明は上記問題に鑑みなされたものであり、異なる使用波長毎に対物レンズの開口数が異なる複数の光記録媒体共用の開口制限素子および光ピックアップ装置において、この開口制限素子の表面における反射光を大幅に減少させ、レーザ光源への戻り光を減少させて、レーザ光源における発振の不安定性を低減させ得る開口制限素子および光ピックアップ装置を提供することを目的とするものである。
【００１６】
また、今日の光ピックアップ装置に対しては、大幅な薄型化の要求があり、その要求に応じた対策が急務とされている。
【００１７】
しかしながら、最近の一般的な傾向であるが、上述した特許文献２のものにおいても、対物レンズ１０２は図２０に示すように、光源側に突出した凸面を有しており、このため、対物レンズ１０２と開口制限素子１０４が位置的な干渉をおこして両素子の表面が損傷を生じることのないよう、光軸方向にスペース的な余裕が必要となり、この余裕スペースが、開口制限素子１０４の配置に要するスペースとともに、上記薄型化の要求に反するものとなっていた。
【００１８】
本発明はこのような問題にも鑑みなされたものであり、異なる使用波長毎に対物レンズの開口数が異なる複数の光記録媒体共用の開口制限素子および光ピックアップ装置において、この開口制限素子を光軸上に配設しても、光ピックアップ装置の薄型化の要求に対応し得る開口制限素子および光ピックアップ装置を提供することを目的とするものである。
【００１９】
【課題を解決するための手段】
本発明の開口制限素子は、光ピックアップ用の対物レンズの光源側に配される波長選択性を有する開口制限素子であって、
基板の中央部分に所定サイズの透孔が形成されるとともに、該基板における、該透孔の周囲の領域は、所定波長の光を波長選択的に直進透過させ、かつその余の光の直進透過を阻止するように構成されていることを特徴とするものである。
【００２０】
前記基板における、該透孔の周囲の領域は、第１の波長λ１の光を透過させるとともに、第２の波長λ２の光を遮蔽せしめるように構成されていることが好ましい。
【００２１】
前記基板における、該透孔の周囲の領域は、第１の波長λ１の光を直進透過させるとともに、第２の波長λ２の光を側方に回折せしめるように構成されていることが好ましい。
【００２２】
またこのような場合において、前記基板を透過した前記第１の波長λ１の光の光路長と、前記透孔を通過した該第１の波長λ１の光の光路長との差がｍλ１（ただし、ｍ＝１，２，３…）となることが好ましい。
【００２３】
また、本発明の開口制限素子は、光ピックアップ用の対物レンズの光源側に配される波長選択性を有する開口制限素子であって、
基板の中央部分に所定サイズの透孔が形成されるとともに、該基板における、該透孔の周囲の領域は、所定波長の光を波長選択的に直進透過させ、かつその余の光の直進透過を阻止するように構成されており、
前記基板における、該透孔の周囲の領域のうち、内側の第１領域は、第１および第２の波長λ１、λ２の光を透過させるとともに、第３の波長λ３の光を遮蔽せしめるように構成し、該透孔の周囲の領域のうち、外側の第２領域は、前記第１の波長λ１の光を透過させるとともに、前記第２および前記第３の波長λ２、λ３の光を遮蔽せしめるように構成されていることを特徴とするものである。
【００２４】
また、本発明の開口制限素子は、光ピックアップ用の対物レンズの光源側に配される波長選択性を有する開口制限素子であって、
基板の中央部分に所定サイズの透孔が形成されるとともに、該基板における、該透孔の周囲の領域は、所定波長の光を波長選択的に直進透過させ、かつその余の光の直進透過を阻止するように構成されており、
前記基板における、該透孔の周囲の領域のうち、内側の第１領域は、第１および第２の波長λ１、λ２の光を透過させるとともに、第３の波長λ３の光を遮蔽せしめるように構成し、該透孔の周囲の領域のうち、外側の第２領域は、前記第１の波長λ１の光を透過させるとともに、前記第２および前記第３の波長λ２、λ３の光のうち一方を回折せしめ、他方を遮蔽せしめるように構成されていることを特徴とするものである。
【００２５】
また、上述したような開口制限素子において、前記基板を透過した前記第１の波長λ１の光の光路長と、前記透孔を通過した該第１の波長λ１の光の光路長との差がｍλ１（ただし、ｍ＝１，２，３…）となり、前記基板を透過した前記第２の波長λ２の光の光路長と、前記透孔を通過した該第２の波長λ２の光の光路長との差がｎλ２（ただし、ｎ＝１，２，３…）となるように構成されていることが好ましい。
【００２６】
また、前記基板が、上面と底面が開放された、光軸を回転軸とする中空の円錐台状とされていることが好ましい。
【００２７】
この場合において、前記基板がプラスチック材料により形成されていることが好ましい。
【００２８】
また、前記基板を透過した前記第１の波長λ１の光に対する、該第１の波長λ１の光の０次の回折光の割合が８５％以上であり、該基板を透過した前記第２の波長λ２の光において、０次の回折光の割合よりも、その余の回折光のうちの所定の回折光の割合が多くなるように構成されていることが好ましい。
【００２９】
また、前記基板上に形成された、前記光を回折させる回折格子の光軸方向からみた形状が同心円であるように構成することが可能である。
【００３０】
また、前記基板上に形成された、前記光を回折させる回折格子の、前記光軸を含む断面形状が階段状をなすように構成することが可能である。
【００３１】
この場合において、前記回折格子による、前記第２の波長λ２または前記第３の波長λ３の光の回折方向が、光の進行方向に対して前記光軸から離れる方向とされていることが好ましい。
【００３２】
また、本発明の光ピックアップ装置は、上述したいずれかの開口制限素子を有することを特徴とするものである。
【００３３】
また、この場合において、前記対物レンズが光源側に凸面を有する正レンズであり、該凸面が前記開口制限素子の前記透孔内に挿入されるように配置されていることが好ましい。
【００３４】
【発明の実施の形態】
以下、本発明の実施形態について図面を用いて説明する。
まず、図１および図２１を用いて本発明の実施形態に係る開口制限素子およびこれを用いた光ピックアップ装置について説明する。
【００３５】
この光ピックアップ装置では、図２１に示すように、ＬＤ電源１１Ａからの電力供給により半導体レーザ１１Ｂ、１１Ｃから出力されたレーザ光５２がハーフミラー５３により反射され、コリメータレンズ５４により平行光とされ、反射プリズム５により反射され、開口制限素子４および絞り３を介して対物レンズ２に入射し、この対物レンズ２により集束光とされて光ディスク６の記録領域６Ａ上に照射される。なお、光ディスク６は、記録領域６Ａを保護するためのＰＣ板等からなる透明な保護板１を有している。
【００３６】
また、上記対物レンズ２は光源側に突出した凸面部分を有する正レンズであり、この凸面部分が丁度開口制限素子４の透孔内に挿入されるようになっている。
【００３７】
なお、半導体レーザ１１Ｂは、ＣＤ−Ｒ（追記型コンパクトディスク）用の、波長７８０ｎｍの近赤外域のレーザ光を出力する光源であり、半導体レーザ１１Ｃは、ＤＶＤ（ディジタル・バーサタイル・ディスク）用の、例えば波長６５０ｎｍの可視域のレーザ光を出力する光源であり、ハーフミラー１１Ｄを介していずれかの半導体レーザ１１Ｂ、１１Ｃから出力されたレーザ光５２がハーフミラー５３に照射されるようになっている。また、ＬＤ電源１１Ａと半導体レーザ１１Ｂ、１１Ｃとの間には切替スイッチ１１Ｅが配されており、この切替スイッチ１１Ｅの操作によりいずれかの半導体レーザ１１Ｂ、１１Ｃに電力が供給されるようになっている。
【００３８】
上記記録領域６Ａには信号情報を担持したピットがトラック状に配列されるようになっており、この記録領域６Ａからの上記レーザ光５２の再生反射光は信号情報を担持した状態で対物レンズ２、絞り３、開口制限素子４、反射プリズム５およびコリメータレンズ５４を介してハーフミラー５３に入射し、このハーフミラー５３を透過して４分割のフォトダイオード１７に入射する。このフォトダイオード１７では分割された４つのダイオード位置の各受光量を演算してデータ信号、およびフォーカスとトラッキングの各エラー信号を得る。
【００３９】
なお、ハーフミラー５３は光ディスク６からの戻り光の光路に対して４５°傾いた状態で挿入されているのでシリンドリカルレンズと同等の作用をなし、このハーフミラー５３を透過した光ビームは非点収差を有することとなり、４分割のフォトダイオード１７上におけるこの戻り光のビームスポットの形状に応じてフォーカスのエラー量が決定されることとなる。なお、上記コリメータレンズ５４は状況に応じて省略することも可能であり、さらに半導体レーザ１１Ｂ、１１Ｃとハーフミラー５３との間にグレーティングを挿入して３ビームによりトラッキングエラーを検出することも可能である。
【００４０】
この光ピックアップ装置ではＣＤ−ＲとＤＶＤのいずれの光ディスク６についても信号の記録再生が可能となるように構成されている。
【００４１】
上記開口制限素子４は、図１に示すように、中央に円形の透孔を有する平板状部材であり、この透孔の周囲の領域には波長選択性を有する波長フィルタ膜あるいは回折フィルタ膜が積層されており、透孔部分においては、波長６５０ｎｍの光および波長７８０ｎｍの光をいずれも通過させる一方、その周囲の領域は、波長６５０ｎｍの光は直進透過させるが、波長７８０ｎｍの光は反射または回折させることにより、直進透過させないように構成されている。
【００４２】
これにより、ＤＶＤを再生する際（使用波長６５０ｎｍ）には、対物レンズ２の開口数を０．６程度と大きくし、一方、ＣＤ−Ｒを記録再生する際（使用波長７８０ｎｍ）には、対物レンズ２の開口数を０．４５程度まで小さくなるように、使用波長に応じて対物レンズの開口数を変化させるように構成している。
【００４３】
具体的には、図２に示す開口制限素子４Ａのように、中央領域の透孔は２種の波長λ１（使用波長６５０ｎｍに対応；２波長態様のものにおいて以下同じ）、λ２（使用波長７８０ｎｍに対応；２波長態様のものにおいて以下同じ）の光が通過するが、その周囲の部分の光ディスク側の面には波長フィルタ膜と位相補償膜が積層されており、２種の波長λ１、λ２の光のうち、一方の波長λ１の光のみを直進透過させ、他方の波長λ２の光は反射（および吸収）するように構成する。これにより対物レンズ２の開口数を、波長λ１の光に対しては大きい値とし、波長λ２の光に対しては小さい値とする。
【００４４】
なお、図２、４、５において、波長フィルタ膜により反射（および吸収）された光は図示を省略されている。
【００４５】
あるいは、図３に示す開口制限素子４Ｂのように、中央領域の透孔は２種の波長λ１、λ２の光が通過するが、その周囲の部分の光ディスク側の面には回折フィルタ膜が形成されており、２種の波長λ１、λ２の光のうち、一方の波長λ１の光のみを直進透過させ、他方の波長λ２の光を側方に回折させるように構成する。
【００４６】
ここで、前記基板を透過した前記第１の波長λ１の光に対する、該第１の波長λ１の光の０次の回折光の割合を８５％以上とすることが望ましく、また、該基板を透過した前記第２の波長λ２の光に対し、０次の回折光の割合よりも、その余の回折光のうちの所定の回折光（通常、＋１次または−１次）の割合が多くなるように構成することが望ましい。これにより対物レンズ２の開口数を、波長λ１の光に対しては大きい値とし、波長λ２の光に対しては小さい値とする。
【００４７】
また、本実施形態のものでは、３種以上の波長の光それぞれに対応する開口数とすることもできる。
例えば、図４に示す開口制限素子４Ｃのように、中央領域の透孔は３種の波長λ１（使用波長４０５ｎｍに対応；３波長態様のものにおいて以下同じ）、λ２（使用波長６５０ｎｍに対応；３波長態様のものにおいて以下同じ）、λ３（使用波長７８０ｎｍに対応；３波長態様のものにおいて以下同じ）の光が通過するが、その周囲の部分（内側領域と外側領域に分割されている）の光ディスク側の面には波長フィルタ膜と位相補償膜が形成されており（内側領域と外側領域とで積層する膜の特性が異なり、透過し得る光の波長範囲が異なる）、内側領域では、３種の波長λ１、λ２、λ３の光のうち、２種の波長λ１、λ２の光のみを直進透過させ、その余の波長λ３の光を反射（および吸収）するように、外側領域では、３種の波長λ１、λ２、λ３の光のうち、１種の波長λ１の光のみを直進透過させ、その余の波長λ２、λ３の光を反射（および吸収）するように構成する。この場合において、基板を透過した第１の波長λ１の光の光路長と、透孔を通過した第１の波長λ１の光の光路長との差がｍλ１（ただし、ｍ＝１，２，３…）となり、また、基板を透過した第２の波長λ２の光の光路長と、透孔を通過した第２の波長λ２の光の光路長との差がｎλ２（ただし、ｎ＝１，２，３…）となるように構成する。
【００４８】
これにより対物レンズ２の開口数を、波長λ１の光に対しては大きい値とし、波長λ２の光に対しては中間の値とし、波長λ３の光に対しては小さい値とする。
【００４９】
あるいは、図５に示す開口制限素子４Ｄのように構成してもよい。すなわち、中央領域の透孔は３種の波長λ１、λ２、λ３の光が通過する。また、その周囲の部分（内側領域と外側領域の両方）の光源側の面には波長フィルタ膜と位相補償膜が形成されており、外側領域の光ディスク側の面には回折フィルタ膜が形成されている。
【００５０】
これにより、内側領域では、３種の波長λ１、λ２、λ３の光のうち、２種の波長λ１、λ２の光のみを直進透過させ、その余の波長λ３の光を反射（および吸収）するように、外側領域では、３種の波長λ１、λ２、λ３の光のうち、１種の波長λ１の光のみを直進透過させ、１種の波長λ３の光を反射（および吸収）させ、１種の波長λ２の光を側方に回折させるように構成する。これにより対物レンズ２の開口数を、波長λ１の光に対しては大きい値とし、波長λ２の光に対しては中間の値とし、波長λ３の光に対しては小さい値とする。
【００５１】
また、前述したように、上記対物レンズ２は光源側に突出した凸面部分を有する正レンズとなっており、この凸面部分が丁度開口制限素子４の透孔内に挿入されるようになっており、これにより、開口制限素子４を配置するための光軸方向のスペースを考慮せずともよくなる。また、開口制限素子４の中央部に透孔が設けられているため、この部分については、光源からの光を反射する表面が存在しないので、戻り光による、半導体レーザ１１Ｂ、１１Ｃの発振の不安定化のおそれが減少する。
【００５２】
以下、本発明の開口制限素子４の具体的な形状を実施例によって説明する。
【００５３】
＜実施例１＞
図６（Ａ）は、実施例１に係る、開口制限素子４Ａａを光軸方向からみた概略図、図６（Ｂ）は透孔の直径に沿った開口制限素子４Ａａの側方断面図である。
【００５４】
図示されるように、この開口制限素子４Ａａは、中央領域に透孔１２が穿設された扁平な円環状とされており、例えばガラスやプラスチック等からなる透光性の基板１３Ａ上に波長フィルタ膜１４Ａおよび位相補償膜１４Ｂを積層してなるものである。なお、透孔の直径は、対物レンズ２の有効径よりも小さい値とされており、第２の波長λ２の光に対する対物レンズ２の開口数に相当するようになっている。
【００５５】
波長フィルタ膜１４Ａは、基板１３Ａ上に高屈折率層と低屈折率層を交互に積層されて構成されたものであり、高屈折率層と低屈折率層の屈折率をｎＨ、ｎＬ、厚さをｄ１、ｄ２、λ＝７８０ｎｍとしたとき、大略ｎＨ・ｄ１＝ｎＬ・ｄ２＝（ｊ＋１／４）λ（ただし、ｊは０および正の整数）の条件式が成立するように形成し、上述した第２の波長λ２の光が、干渉効果により反射（および吸収）されるように構成する。なお、高屈折率層としては例えばＴｉＯ２、低屈折率層としては例えばＳｉＯ２を用いる。
【００５６】
一方、位相補償膜１４Ｂは、波長フィルタ膜１４Ａ上に例えばＳｉＯ２を積層することにより構成し、基板１３Ａを透過した第１の波長λ１の光の光路長と、透孔１２を通過した第１の波長λ１の光の光路長との差がｍλ１（ただし、ｍ＝１，２，３…）となるような厚みを有し、これにより波長フィルタ膜１４Ａの厚みを補償するものである。このような位相補償膜１４Ｂを設けることで、対物レンズによって集光された光の波面が乱れるのを防止する。
【００５７】
このような構成としたことで、対物レンズ２の開口数を、第１の波長λ１の光に対しては大きい値（０．６）とし、第２の波長λ２の光に対しては小さい値（０．４５）とすることができる。
【００５８】
＜実施例２＞
図７（Ａ）は、実施例２に係る開口制限素子４Ａｂを光軸方向からみた概略図、図７（Ｂ）は透孔の直径に沿った開口制限素子４Ａｂの側方断面図である。
【００５９】
この開口制限素子４Ａｂは、上記実施例１の開口制限素子４Ａａと略同様に構成されているが、基板１３Ｂ形状が矩形状とされており、上記基板１３Ａが円形状をなしているのとは異なっている。
【００６０】
＜実施例３＞
図８（Ａ）は、実施例３に係る開口制限素子４Ａｃを光軸方向からみた概略図、図８（Ｂ）は透孔の直径に沿った開口制限素子４Ａｃの側方断面図である。
【００６１】
この開口制限素子４Ａｃは、上記実施例１の開口制限素子４Ａａと、その層構成等においては略同様に構成されているが、基板１３Ｃの形状が光源側に開いた断面概略ハの字型をなしている。すなわち、基板１３Ｃの全体の形状は、上面と底面が開放され、底面を光源側に向けた、光軸を回転軸とする中空の円錐台状とされている。もっとも、この円錐台側面の傾斜は図示するように僅かであり、この基板に照射された光の正反射光が光源側に逆進することを防止することが可能となる程度に構成されている。
【００６２】
また、この場合において、基板１３Ｃをプラスチック材により形成することが好ましい。プラスチック材で形成することにより、微妙な形状を低廉かつ高精度に形成することが可能である。
【００６３】
特に、この開口制限素子４Ａｃによって反射される割合が大きい第２の波長λ２の光が、光源側に逆進することを防止することができるので、光源の発振の安定化を図ることができる。
【００６４】
＜実施例４＞
図９（Ａ）は、実施例４に係る開口制限素子４Ａｄを光軸方向からみた概略図、図９（Ｂ）は透孔の直径に沿った開口制限素子４Ａｄの側方断面図である。
【００６５】
この開口制限素子４Ａｄは、上記実施例３の開口制限素子４Ａｃと略同様に構成されているが、基板１３Ｄの形状が、光ディスク側に開いた断面概略ハの字型をなしている。すなわち、基板１３Ｄの全体の形状は、上面と底面が開放され、底面を光ディスク側に向けた、光軸を回転軸とする中空の円錐台状とされている。この場合の、円錐台側面の傾斜も図示するように僅かである。その作用効果は、上記実施例３のものと略同様である。
【００６６】
＜実施例５＞
図１０（Ａ）は、実施例５に係る開口制限素子４Ｂａを光軸方向からみた概略図、図１０（Ｂ）は透孔の直径に沿った開口制限素子４Ｂａの側方断面図である。
【００６７】
図示されるように、この開口制限素子４Ｂａは、中央領域に透孔１２が穿設された扁平な円環状とされており、例えばガラスやプラスチック等からなる透光性の基板１３Ｅ上に回折フィルタ膜２４Ａを積層してなるものである。また、回折フィルタ膜２４Ａを構成する回折格子は、同心円状に形成されており、各格子の断面形状は矩形とされている。なお、透孔の直径は、対物レンズ２の有効径よりも小さい値とされており、第２の波長λ２の光に対する対物レンズ２の開口数に相当するようになっている。
【００６８】
また、回折フィルタ膜２４Ａは、基板１３Ｅ上に、例えばＳｉＯ２を積層させて基板１３Ｅをエッチングするか、基板１３Ｅとの一体成形等により形成される。回折フィルタ膜２４Ａは、回折格子の高さｈが以下の条件式（１）、（２）で与えられるように構成する。
ｈ＝Ｌλ１／（ｎ１−１）                          ・・・（１）
ｈ＝Ｍλ２／（ｎ２−１）＋Ｋλ２／２（ｎ２−１）  ・・・（２）
ただし、
λ１、λ２    ２つの入射光の波長
ｎ１          波長λ１の光に対する回折格子の屈折率
ｎ２          波長λ２の光に対する回折格子の屈折率
Ｌ            正の整数
Ｍ            ｈ＞Ｍλ２／（ｎ２−１）なる条件式を満足する、
０および正の整数のうちの最大値
Ｋ            ０．６５以上、１．３５以下の数値
【００６９】
すなわち、開口制限素子４Ｂａは、透孔１２の周囲の領域では、波長６５０ｎｍの光を完全に透過させ、波長７８０ｎｍの光は殆んど回折させる。
このような構成としたことで、対物レンズ２の開口数を、第１の波長λ１の光に対しては大きい値（０．６）とし、第２の波長λ２の光に対しては小さい値（０．４５）とすることができる。
【００７０】
＜実施例６＞
図１１（Ａ）は、実施例６に係る開口制限素子４Ｂｂを光軸方向からみた概略図、図１１（Ｂ）は透孔の直径に沿った開口制限素子４Ｂｂの側方断面図である。
【００７１】
この開口制限素子４Ｂｂは、上記実施例５の開口制限素子４Ｂａと略同様に構成されているが、基板１３Ｆ上の回折フィルタ膜２４Ｂを構成する各回折格子の断面形状が階段状とされている点において異なっている。
【００７２】
この回折フィルタ膜２４Ｂは、回折格子の１つの階段高さｇが以下の条件式（３）、（４）で与えられるように構成する。
ｇ＝Ｌλ１／（ｎ１−１）                          ・・・（３）
ｇ＝Ｍλ２／（ｎ２−１）＋Ｋλ２／２（ｎ２−１）  ・・・（４）
ただし、
λ１、λ２    ２つの入射光の波長
ｎ１          波長λ１の光に対する回折格子の屈折率
ｎ２          波長λ２の光に対する回折格子の屈折率
Ｌ            正の整数
Ｍ            ｇ＞Ｍλ２／（ｎ２−１）なる条件式を満足する、
０および正の整数のうちの最大値
Ｋ            ０．２７以上、１．７３以下の数値
【００７３】
このように、各回折格子を断面階段状に構成すると、１次以上の回折光が正負のいずれか一方となり、回折光のノイズ対策が容易となる。
【００７４】
＜実施例７＞
図１２（Ａ）は、実施例７に係る開口制限素子４Ｂｃを光軸方向からみた概略図、図１２（Ｂ）は透孔の直径に沿った開口制限素子４Ｂｃの側方断面図である。
【００７５】
この開口制限素子４Ｂｃは、上記実施例６の開口制限素子４Ｂｂと略同様に構成されているが、断面形状が階段状とされた、基板１３Ｇ上の回折フィルタ膜２４Ｃを構成する各回折格子の階段の向きが異なっている。
【００７６】
この開口制限素子４Ｂｃも、開口制限素子４Ｂｂと同様に、１次以上の回折光が正負のいずれか一方となるため、回折光のノイズ対策が容易となる。さらに、その階段の向きが実施例６とは異なり内側とされているため、この開口制限素子４Ｂｃにより発生する、１次の回折光は、実施例６の場合とは異なる方向へ進むことになる。例えば、実施例６で発生する１次の回折光が、光が進むにしたがって光軸に近づくような場合においては、実施例７で発生する１次の回折光は光が進むにしたがって光軸から離れていくようになるため、回折光のノイズ対策がさらに容易となる。
【００７７】
＜実施例８＞
図１３（Ａ）は、実施例８に係る開口制限素子４Ｃａを光軸方向からみた概略図、図１３（Ｂ）は透孔の直径に沿った開口制限素子４Ｃａの側方断面図である。
【００７８】
図示されるように、この開口制限素子４Ｃａは、中央領域に透孔１２が穿設された扁平な円環状とされており、例えばガラスやプラスチック等からなる透光性の基板１３Ｈ上に波長フィルタ膜１４Ｃおよび位相補償膜１４Ｄ（内側領域）、ならびに波長フィルタ膜１４Ｅおよび位相補償膜１４Ｆ（外側領域）を積層してなるものである。なお、透孔の直径は、対物レンズ２の有効径よりも小さい値とされており、第３の波長λ３の光に対する対物レンズ２の開口数に相当するようになっている。
【００７９】
波長フィルタ膜１４Ｃは、基板１３Ｈの内側領域に高屈折率層と低屈折率層を交互に積層されて構成されたものであり、高屈折率層と低屈折率層の屈折率をｎＨ３、ｎＬ３、厚さをｄＩ１、ｄＩ２、λ＝λ３としたとき、大略ｎＨ３・ｄＩ１＝ｎＬ３・ｄＩ２＝（ｊ＋１／４）λ（ただし、ｊは０および正の整数）の条件式が成立するように形成し、上述した第３の波長λ３の光が、干渉効果により反射（および吸収）されるように構成する。
【００８０】
また、波長フィルタ膜１４Ｅも、基板１３Ｈの外側領域に高屈折率層と低屈折率層を交互に積層されて構成されたものであり、高屈折率層と低屈折率層の屈折率をｎＨ２、ｎＬ２（波長λ２のとき）、ｎＨ３、ｎＬ３（波長λ３のとき）、厚さをｄＯ１、ｄＯ２、波長をそれぞれλ２、λ３としたとき、大略ｎＨ２・ｄＯ１＝ｎＬ２・ｄＯ２＝（ｋ＋１／４）λ２（ただし、ｋは０および正の整数）、およびｎＨ３・ｄＯ１＝ｎＬ３・ｄＯ２＝（ｉ＋１／４）λ３（ただし、ｉは０および正の整数）の各条件式が成立するように形成し、上述した第２の波長λ２の光および第３の波長λ３の光が、干渉効果により反射（および吸収）されるように構成する。
【００８１】
なお、高屈折率層としては例えばＴｉＯ２、低屈折率層としては例えばＳｉＯ２を用いる。
【００８２】
一方、位相補償膜１４Ｄおよび位相補償膜１４Ｆは、それぞれ波長フィルタ膜１４Ｃおよび波長フィルタ膜１４Ｅ上に例えばＳｉＯ２を積層することにより構成し、基板１３Ｈを透過した第１の波長λ１の光の光路長と、透孔１２を通過した第１の波長λ１の光の光路長との差が、基板１３Ｈの内側領域についてはｐλ１（ただし、ｐ＝１，２，３…）、また上記基板１３Ｈの外側領域についてはｑλ１（ただし、ｑ＝１，２，３…）となるように波長フィルタ膜１４Ｃ、Ｅの厚みを補償するものである。また、このような位相補償膜１４Ｄ、Ｆを設けることで、対物レンズによって集光された光の波面が乱れるのを防止する。
【００８３】
また、位相補償膜１４Ｄは、基板１３Ｈを透過した第２の波長λ２の光の光路長と、透孔１２を通過した第２の波長λ２の光の光路長との差が、基板１３Ｈの内側領域についてはｒλ２（ただし、ｒ＝１，２，３…）となるように波長フィルタ膜１４Ｃの厚みを補償するものである。このような位相補償膜１４Ｄを設けることで、対物レンズによって集光された光の波面が乱れるのを防止する。
【００８４】
すなわち、開口制限素子４Ｃａは、透孔１２の周囲の領域のうちの内側領域では、波長λ１、λ２の光を完全に透過させ、波長λ３の光は殆んど反射（および吸収）させる。また、透孔１２の周囲の領域のうちの外側領域では、波長λ１の光を完全に透過させ、波長λ２、λ３の光は殆んど反射（および吸収）させる。
【００８５】
このような構成としたことで、図４に示す如き作用効果を奏するので、対物レンズ２の開口数を、波長λ１の光に対しては大きい値とし、波長λ２の光に対しては中間の値とし、波長λ３の光に対しては小さい値とすることができる。
【００８６】
なお、使用波長λ１、λ２、λ３としては、種々の値を採用することが可能であり、本実施形態で採用した値以外の値を採用可能である。
【００８７】
＜実施例９＞
図１４（Ａ）は、実施例９に係る開口制限素子４Ｃｂを光軸方向からみた概略図、図１４（Ｂ）は透孔の直径に沿った開口制限素子４Ｃｂの側方断面図である。
【００８８】
この開口制限素子４Ｃｂは、上記実施例８の開口制限素子４Ｃａと略同様に構成されているが、基板１３Ｉの形状が矩形状とされており、上記基板１３Ｈが円形状をなしているのとは異なっている。
【００８９】
＜実施例１０＞
図１５（Ａ）は、実施例１０に係る開口制限素子４Ｄａを光軸方向からみた概略図、図１５（Ｂ）は透孔の直径に沿った開口制限素子４Ｄａの側方断面図である。
【００９０】
図示されるように、この開口制限素子４Ｄａは、中央領域に透孔１２が穿設された扁平な円環状とされており、例えばガラスやプラスチック等からなる透光性の基板１３Ｊの光源側の表面上に波長フィルタ膜１４Ｇおよび位相補償膜１４Ｈを積層し（内側領域および外側領域）、一方基板１３Ｊの光ディスク側の表面上に回折フィルタ膜２４Ｄを積層した（外側領域）ものである。また、回折フィルタ膜２４Ｄを構成する回折格子は同心円状に形成されており、各格子の断面形状は矩形とされている。なお、透孔の直径は、対物レンズ２の有効径よりも小さい値とされており、第３の波長λ３の光に対する対物レンズ２の開口数に相当するようになっている。
【００９１】
また、上述した波長フィルタ膜１４Ｇおよび位相補償膜１４Ｈの機能は、上述した実施例８の開口制限素子４Ｃａの波長フィルタ膜１４Ｃおよび位相補償膜１４Ｄと略同様である。
【００９２】
また、回折フィルタ膜２４Ｄは、基板１３Ｊ上に、例えばＳｉＯ２を積層させて基板１３Ｊをエッチングするか、基板１３Ｊとの一体成形等により形成される。回折フィルタ膜２４Ｄは、回折格子の高さｈが以下の条件式（５）、（６）で与えられるように構成する。
ｈ＝Ｌλ１／（ｎ１−１）                          ・・・（５）
ｈ＝Ｍλ２／（ｎ２−１）＋Ｋλ２／２（ｎ２−１）  ・・・（６）
ただし、
λ１、λ２    ２つの入射光の波長
ｎ１          波長λ１の光に対する回折格子の屈折率
ｎ２          波長λ２の光に対する回折格子の屈折率
Ｌ            正の整数
Ｍ            ｈ＞Ｍλ２／（ｎ２−１）なる条件式を満足する、
０および正の整数のうちの最大値
Ｋ            ０．６５以上、１．３５以下の数値
【００９３】
すなわち、開口制限素子４Ｄａは、透孔１２の周囲の領域のうちの内側領域では、波長λ１、λ２の光を完全に透過させ、波長λ３の光は殆んど反射（および吸収）させる。また、透孔１２の周囲の領域のうちの外側領域では、波長λ１の光を完全に透過させ、波長λ３の光は殆んど反射（および吸収）させ、波長λ２の光を殆ど側方に回折させる。
【００９４】
このような構成としたことで、対物レンズ２の開口数を、波長λ１の光に対しては大きい値とし、波長λ２の光に対しては中間の値とし、波長λ３の光に対しては小さい値とすることができる。
【００９５】
なお、使用波長λ１、λ２、λ３として、種々の値を採用することが可能であることは上記実施例８のものと同様である。
【００９６】
＜実施例１１＞
図１６（Ａ）は、実施例１１に係る開口制限素子４Ｄｂを光軸方向からみた概略図、図１６（Ｂ）は透孔の直径に沿った開口制限素子４Ｄｂの側方断面図である。
【００９７】
この開口制限素子４Ｄｂは、上記実施例１０の開口制限素子４Ｄａと略同様に構成されているが、基板１３Ｋ上の回折フィルタ膜２４Ｅを構成する各回折格子の断面形状が階段状とされている点において異なっている。
【００９８】
この回折フィルタ膜２４Ｅは、回折格子の１つの階段高さｇが以下の条件式（７）、（８）で与えられるように構成する。
ｇ＝Ｌλ１／（ｎ１−１）                          ・・・（７）
ｇ＝Ｍλ２／（ｎ２−１）＋Ｋλ２／２（ｎ２−１）  ・・・（８）
ただし、
λ１、λ２    ２つの入射光の波長
ｎ１          波長λ１の光に対する回折格子の屈折率
ｎ２          波長λ２の光に対する回折格子の屈折率
Ｌ            正の整数
Ｍ            ｇ＞Ｍλ２／（ｎ２−１）なる条件式を満足する、
０および正の整数のうちの最大値
Ｋ            ０．２７以上、１．７３以下の数値
【００９９】
このように、各回折格子を断面階段状に構成すると、１次以上の回折光が正負のいずれか一方となり、回折光のノイズ対策が容易となる。
【０１００】
＜実施例１２＞
図１７（Ａ）は、実施例１２に係る開口制限素子４Ｄｃを光軸方向からみた概略図、図１７（Ｂ）は透孔の直径に沿った開口制限素子４Ｄｃの側方断面図である。
【０１０１】
この開口制限素子４Ｄｃは、上記実施例１１の開口制限素子４Ｄｂと略同様に構成されているが、断面形状が階段状とされた、基板１３Ｌ上の回折フィルタ膜２４Ｆを構成する各回折格子の階段の向きが異なっている。
【０１０２】
この開口制限素子４Ｄｃも、開口制限素子４Ｄｂと同様に、１次以上の回折光が正負のいずれか一方となるため、回折光のノイズ対策が容易となる。さらに、その階段の向きが実施例１１とは異なり内側とされているため、この開口制限素子４Ｄｃにおける、１次の回折光は、実施例１１の場合とは異なる方向へ進むことになる。例えば、実施例１１で発生する１次の回折光が、光が進むにしたがって光軸に近づくような場合においては、実施例１２で発生する１次の回折光は光が進むにしたがって光軸から離れていくことになり、回折光のノイズ対策がさらに容易となる。
【０１０３】
＜実施例１３＞
図１８（Ａ）は、実施例１３に係る開口制限素子４Ｅａを光軸方向からみた概略図、図１８（Ｂ）は透孔の直径に沿った開口制限素子４Ｅａの側方断面図である。
【０１０４】
図示されるように、この開口制限素子４Ｅａは、中央領域に透孔１２が穿設された扁平な円環状とされ、例えばガラスやプラスチック等からなる透光性の基板１３Ｍ上に回折フィルタ膜３４Ａを積層してなり、各格子の断面形状が矩形とされている点で上記実施例５に係る開口制限素子４Ｂａと同様である。ただし、回折フィルタ膜３４Ａを構成する回折格子は、同心円状ではなく平行に形成されている。各回折格子をこのように平行に形成しても、同心円状に形成した場合と略同様の効果が得られ、さらに回折光のノイズ処理が容易になると考えられる。
【０１０５】
なお、実施例５に係る開口制限素子４Ｂａと同様に、透孔の直径は、対物レンズ２の有効径よりも小さい値とされており、第２の波長λ２の光に対する対物レンズ２の開口数に相当するようになっている。
【０１０６】
＜実施例１４＞
図１９（Ａ）は、実施例１４に係る開口制限素子４Ｅｂを光軸方向からみた概略図、図１９（Ｂ）は透孔の直径に沿った開口制限素子４Ｅｂの側方断面図である。
【０１０７】
図示されるように、この開口制限素子４Ｅｂは、中央領域に透孔１２が穿設された扁平な矩形状とされ、例えばガラスやプラスチック等からなる透光性の基板１３Ｎ上に回折フィルタ膜３４Ｂを積層してなり、各格子の断面形状が階段状とされている点で上記実施例６に係る開口制限素子４Ｂｂと同様である。ただし、基板１３Ｎが正方形状をなしており、回折フィルタ膜３４Ｂを構成する回折格子が、同心円状ではなく平行に形成されている。各回折格子をこのように平行に形成しても、同心円状に形成した場合と略同様の効果が得られ、さらに回折光のノイズ処理が容易になると考えられる。
【０１０８】
なお、実施例６に係る開口制限素子４Ｂｂと同様に、透孔の直径は、対物レンズ２の有効径よりも小さい値とされており、第２の波長λ２の光に対する対物レンズ２の開口数に相当するようになっている。
【０１０９】
なお、本発明に係る開口制限素子および光ピックアップ装置は、上述した実施形態のものに限られるものではなく、その他の種々の態様の変更が可能であり、上述した実施例の各要素を適宜組合わせて、所望の形状の開口制限素子およびこれを用いた光ピックアップ装置を構成することが可能である。
【０１１０】
【発明の効果】
以上に説明したように、本発明の開口制限素子および光ピックアップ装置によれば、光ピックアップ用の対物レンズの光源側に配される波長選択性を有する開口制限素子において、基板の中央部分に所定サイズの透孔が形成されるとともに、該基板における、該透孔の周囲の領域は、所定波長の光を波長選択的に直進透過させるように構成されている。したがって、この開口制限素子の中央部分に照射された光は、この開口制限素子において表面反射されることがなく、レーザ光源への戻り光が大幅に減少するので、レーザ光源の発振の安定化を図ることができる。
【０１１１】
また、本発明の光ピックアップ装置において、対物レンズを光源側に凸面部分を有する正レンズとし、該凸面部分が開口制限素子の透孔内に挿入されるように構成することにより、開口制限素子を配置するための光軸方向のスペースを考慮せずともよくなり、光ピックアップ装置の薄型化の要求に対応することができる。
【図面の簡単な説明】
【図１】本発明の実施形態に係る光ピックアップ装置の主要部を示す概略図
【図２】本発明の実施形態に係る開口制限素子の一態様を示す概略図
【図３】本発明の実施形態に係る開口制限素子の一態様を示す概略図
【図４】本発明の実施形態に係る開口制限素子の一態様を示す概略図
【図５】本発明の実施形態に係る開口制限素子の一態様を示す概略図
【図６】本発明の実施例１に係る開口制限素子を示す概略図（（Ａ）は光軸方向からみた概略図、（Ｂ）は透孔の直径に沿った側方断面図）
【図７】本発明の実施例２に係る開口制限素子を示す概略図（（Ａ）は光軸方向からみた概略図、（Ｂ）は透孔の直径に沿った側方断面図）
【図８】本発明の実施例３に係る開口制限素子を示す概略図（（Ａ）は光軸方向からみた概略図、（Ｂ）は透孔の直径に沿った側方断面図）
【図９】本発明の実施例４に係る開口制限素子を示す概略図（（Ａ）は光軸方向からみた概略図、（Ｂ）は透孔の直径に沿った側方断面図）
【図１０】本発明の実施例５に係る開口制限素子を示す概略図（（Ａ）は光軸方向からみた概略図、（Ｂ）は透孔の直径に沿った側方断面図）
【図１１】本発明の実施例６に係る開口制限素子を示す概略図（（Ａ）は光軸方向からみた概略図、（Ｂ）は透孔の直径に沿った側方断面図）
【図１２】本発明の実施例７に係る開口制限素子を示す概略図（（Ａ）は光軸方向からみた概略図、（Ｂ）は透孔の直径に沿った側方断面図）
【図１３】本発明の実施例８に係る開口制限素子を示す概略図（（Ａ）は光軸方向からみた概略図、（Ｂ）は透孔の直径に沿った側方断面図）
【図１４】本発明の実施例９に係る開口制限素子を示す概略図（（Ａ）は光軸方向からみた概略図、（Ｂ）は透孔の直径に沿った側方断面図）
【図１５】本発明の実施例１０に係る開口制限素子を示す概略図（（Ａ）は光軸方向からみた概略図、（Ｂ）は透孔の直径に沿った側方断面図）
【図１６】本発明の実施例１１に係る開口制限素子を示す概略図（（Ａ）は光軸方向からみた概略図、（Ｂ）は透孔の直径に沿った側方断面図）
【図１７】本発明の実施例１２に係る開口制限素子を示す概略図（（Ａ）は光軸方向からみた概略図、（Ｂ）は透孔の直径に沿った側方断面図）
【図１８】本発明の実施例１３に係る開口制限素子を示す概略図（（Ａ）は光軸方向からみた概略図、（Ｂ）は透孔の直径に沿った側方断面図）
【図１９】本発明の実施例１４に係る開口制限素子を示す概略図（（Ａ）は光軸方向からみた概略図、（Ｂ）は透孔の直径に沿った側方断面図）
【図２０】従来技術に係る光ピックアップ装置の主要部を示す概略図
【図２１】本発明の実施形態に係る光ピックアップ装置全体を示す概略図
【符号の説明】
１、１０１    保護板
２、１０２    対物レンズ
３、１０３    絞り
４、４Ａ〜Ｄ、４Ａａ〜４Ｅｂ、１０４    開口制限素子
５、１０５    反射プリズム
６、１０６    光ディスク
６Ａ    記録領域（記録面）
１１Ａ    ＬＤ電源
１１Ｂ、１１Ｃ    半導体レーザ
１１Ｄ、５３    ハーフミラー
１２    透孔
１３Ａ〜Ｎ    基板
１４Ａ、Ｃ、Ｅ、Ｇ、Ｉ    波長フィルタ膜
１４Ｂ、Ｄ、Ｆ、Ｈ、Ｊ    位相補償膜
２４Ａ〜Ｆ、３４Ａ〜Ｂ    回折フィルタ膜
５２    レーザ光
５４    コリメータレンズ
【図１】
2004279981.tif 000003
【図２】
2004279981.tif 000004
【図３】
2004279981.tif 000005
【図４】
2004279981.tif 000006
【図５】
2004279981.tif 000007
【図６】
2004279981.tif 000008
【図７】
2004279981.tif 000009
【図８】
2004279981.tif 000010
【図９】
2004279981.tif 000011
【図１０】
2004279981.tif 000012
【図１１】
2004279981.tif 000013
【図１２】
2004279981.tif 000014
【図１３】
2004279981.tif 000015
【図１４】
2004279981.tif 000016
【図１５】
2004279981.tif 000017
【図１６】
2004279981.tif 000018
【図１７】
2004279981.tif 000019
【図１８】
2004279981.tif 000020
【図１９】
2004279981.tif 000021
【図２０】
2004279981.tif 000022
【図２１】
2004279981.tif 000023